(57)【要約】      （修正有）【課題】内蔵ストロボにおいて小型で縦位置撮影時にも撮影者の任意のバウンス撮影が可能な撮像装置を提供する。【解決手段】ストロボユニット４が収納された第一の状態と、ストロボユニット４のアップ角度が所定角度となる第二の状態と、ストロボユニット４のアップ角度を第一と第二の状態の間で調整可能な第三の状態とで切替え可能であり、ストロボユニット４をアップさせるねじりコイルばね３０と、ねじりコイルばね３０を係留する支持部材２８と、支持部材２８の移動によりギア部１０ｄとの接触、非接触を切り替え可能なクリックばね３１を有し、第二の状態から第三の状態への移行において、支持部材２８の移動とねじりコイルばね３０の支持位置の移動によりクリックばね３１がギア部１０ｄに接触する。【選択図】図７（ｂ）
2016128859.tif 000002
【特許請求の範囲】
【請求項１】
第一のヒンジ部（５）周りに回動可能なストロボユニット（４）を備えた撮像装置（１）であって、
ストロボユニット（４）が収納された第一の状態と、
ストロボユニット（４）のアップ角度が所定角度となる第二の状態と、
ストロボユニット（４）のアップ角度を第一と第二の状態の間で調整可能な第三の状態と
で切り替え可能であり、
ストロボユニット（４）をアップさせるためのねじりコイルばね（３０）と、
ねじりコイルばね（３０）を係留する支持部材（２８）と、
支持部材（２８）の移動により、ストロボユニット（４）に配設されたギア部（１０ｄ）との接触、非接触を切り替え可能なクリックばね（３１）を有し、
第二の状態から第三の状態への移行を、支持部材（２８）を移動させることで行い、
これに連動してねじりコイルばね（３０）の支持位置が移動し、
クリックばね（３１）がストロボユニットのギア部（１０ｄ）に接触することを特徴とする撮像装置。
【請求項２】
ストロボユニット（４）を第一、第二、第三の状態で切り替え可能な一つの操作部材（７）を有することを特徴とする請求項１に記載の撮像装置。
【請求項３】
第一の状態において、ストロボユニット（４）を収納するための係止部材（６）を有し、
第三の状態では係止部材（６）がストロボユニット（４）を係留しないよう退避することを特徴とする請求項１又は請求項２に記載の撮像装置。
【請求項４】
第一のヒンジ部（５）の近傍にストロボアップ検知部（２４）を有し、
ストロボアップ検知部（２４）により第二の状態であることを検知してストロボ発光を許可し、
第三の状態であるときは、ストロボアップ検知部（２４）の検知状態によらずストロボ発光を許可することを特徴とする請求項１乃至請求項３の何れか一項に記載の撮像装置。
【発明の詳細な説明】
【技術分野】
【０００１】
本発明は、内蔵ストロボにおけるバウンス撮影に関し、特に小型で縦位置撮影時にもバウンス撮影が可能なストロボ機構に関する。
【背景技術】
【０００２】
従来より、ストロボからの直接光による撮影の場合、不自然な明るさの画像が撮影されてしまう撮影シーンがあり、その対策として天井や壁などにストロボ光を反射させて撮影を行うバウンスという技法が用いられている。外部接続のストロボの多くは、上記バウンス撮影に対応しストロボ発光方向を任意で変更できる機構が盛り込まれている。
【０００３】
内蔵ストロボにおいても特許文献１に示すように、ストロボ発光部を発光管に平行なヒンジ軸によって回転可能とし、発光方向を変更することでバウンス撮影に対応している。また、特許文献２に示すように、ストロボ発光部の前方に異形レンズを配置し、ストロボの光を屈折および反射させることで、発光方向を変更する技術も紹介されている。
【先行技術文献】
【特許文献】
【０００４】
【特許文献１】特開２００６‐７８５０６号公報
【特許文献２】特開平１１−２７１８５１号公報
【発明の概要】
【発明が解決しようとする課題】
【０００５】
しかしながら、特許文献１及び２に示す技術では、縦位置による撮影時に、撮影者の側面側に対するバウンス撮影にしか対応できず、撮影の自由度を損ねることとなる。また、特許文献１においては複雑な構成となっており部品点数増加及び機器の大型化を招く。特許文献２においては反射および屈折を可能とするレンズを配置している。よって、小型化が難しく、内蔵ストロボにおいて有効なバウンス技術とは言えない。
【０００６】
本発明は、上記の事情に鑑みて成されたものであり、内蔵ストロボにおいて小型で縦位置撮影時にも撮影者の任意のバウンス撮影が可能な撮像装置を提供することを目的とする。
【課題を解決するための手段】
【０００７】
上記の目的を達成するために、本発明は、
第一のヒンジ部（５）周りに回動可能なストロボユニット（４）を備えた撮像装置（１）であって、
ストロボユニット（４）が収納された第一の状態と、
ストロボユニット（４）のアップ角度が所定角度となる第二の状態と、
ストロボユニット（４）のアップ角度を第一と第二の状態の間で調整可能な第三の状態と
で切り替え可能であり、
ストロボユニット（４）をアップさせるためのねじりコイルばね（３０）と、
ねじりコイルばね（３０）を係留する支持部材（２８）と、
支持部材（２８）の移動により、ストロボユニット（４）に配設されたギア部（１０ｄ）との接触、非接触を切り替え可能なクリックばね（３１）を有し、
第二の状態から第三の状態への移行を、支持部材（２８）を移動させることで行い、
これに連動してねじりコイルばね（３０）の支持位置が移動し、
クリックばね（３１）がストロボユニットのギア部（１０ｄ）に接触する
ことを特徴とする。
【発明の効果】
【０００８】
本発明の撮像装置によれば、内蔵ストロボにおいて、小型で縦位置撮影時にもバウンス撮影が可能なストロボ機構を得ることができる。
【図面の簡単な説明】
【０００９】
【図１】（ａ）は本実施の形態に係る撮像装置の外観正面斜視図、（ｂ）はストロボ撮影時の本実施の形態に係る撮像装置の外観正面斜視図
【図２（ａ）】本実施の形態に係るストロボユニットの外観斜視図
【図２（ｂ）】図２（ａ）のＡ−Ａ断面図
【図２（ｃ）】図２（ａ）のＢ−Ｂ断面図
【図２（ｄ）】バウンス図２（ａ）のＢ−Ｂ断面図
【図３】本実施の形態に係る撮像装置の主要な電気的構成を示すブロック図
【図４】本実施の形態に係る撮像装置に関する、ストロボ発光方法に関するフローチャート
【図５】本実施の第二の形態に係る撮像装置の外観斜視図
【図６】（ａ）は本実施の第二の形態に係るストロボＳＷの分解斜視図、（ｂ）は本実施の第二の形態に係るストロボＳＷの中央断面図
【図７（ａ）】本実施の第二の形態に係る、第一の状態における正面図と側面図
【図７（ｂ）】本実施の第二の形態に係る、第一の状態におけるＣ−Ｃ断面図とＤ−Ｄ断面図
【図７（ｃ）】本実施の第二の形態に係る、第二の状態におけるＣ−Ｃ断面図とＤ−Ｄ断面図
【図７（ｄ）】本実施の第二の形態に係る、第三の状態におけるＣ−Ｃ断面図とＤ−Ｄ断面図
【図８】本実施の第二の形態に係る撮像装置の主要な電気的構成を示すブロック図
【図９】本実施の第二の形態に係る撮像装置に関する、ストロボ発光方法に関するフローチャート
【発明を実施するための形態】
【００１０】
以下、本発明を実施するための形態を図面に基づいて説明する。
【実施例１】
【００１１】
図１〜図４を用いて、本実施の形態に係る撮像装置の構成について説明する。なお、図中で共通する部分には同一の符号を付す。
【００１２】
まず、図１を参照して本実施の形態に係る撮像装置の本体構成について説明する。図１（ａ）は撮像装置の外観正面斜視図、図１（ｂ）はストロボ撮影時の本実施の形態に係る撮像装置の外観正面斜視図を表す。
【００１３】
図１（ａ）、図１（ｂ）において、１は撮像装置本体、２は撮影レンズ、２ａは撮影光軸、３はグリップ部、４はストロボユニット、５は第一のヒンジ部、６は係止部材、７はストロボＳＷ、８は引掛け部を示す。
【００１４】
撮像装置本体１の内部には撮像部２１が配置されており、撮影レンズ２を通過した光は撮像部２１に投影され、画像として出力される。撮像部２１に関しては後に説明する。グリップ部３は撮影者が撮影時に撮像装置本体１を保持する部位である。ストロボユニット４は撮影光軸２ａと略交差する方向に回転軸を持つ第一のヒンジ部５によって撮像装置本体１と接続されており、ストロボ撮影を行わない場合は係止部材６がストロボユニット４の外形に成形された引掛け部８に引っかかることで図１（ａ）のようにストロボダウン状態で係止されている。
【００１５】
ストロボＳＷ７は、係止部材６をストロボユニット４の引掛け部８から外れる方向に可動させ、ストロボユニット４は係止部材６が外れることで第一のヒンジ部５に配置されたバネ（不図示）により図１（ｂ）のようにストロボアップ状態に可動する。
【００１６】
次に図２を参照して、ストロボユニット４の詳細な構成について説明する。図２（ａ）はストロボユニットの外観斜視図、図２（ｂ）は図２（ａ）のＡ−Ａ断面図、図２（ｃ）は図２（ａ）のＢ−Ｂ断面図、図２（ｄ）は発光部１１を１８０度回転させ、バウンス撮影状態にした時の図２（ａ）のＢ−Ｂ断面図である。発光部１１に関しては次に説明する。
【００１７】
図２（ａ）、図２（ｂ）、図２（ｃ）、図２（ｄ）において、１０はベース部、１０ａはベース部１０の内面、１０ｂはベース部１０の穴形状、１１は発光部、１１ａは発光部１１の当接面、１２は第二のヒンジ部、１３は発光管、１４は反射部材、１５は透過部材、１６はラチェット軸、１６ａはラチェット軸１６の略筒形状、１６ｂはラチェット軸１６の突起形状、１６ｃはラチェット軸１６の板形状、１７は引っ張りバネ、１８はラチェット歯、１８ａはラチェット歯１８の溝部を示す。
【００１８】
ベース部１０は第一のヒンジ部５を備え、ストロボユニット４を支持する。またベース部１０と発光部１１の間には、第一のヒンジ部５の回転軸に略直交する方向に回転軸を持った第二のヒンジ部１２が配置されており、発光部１１を支持し、ベース部１０に対して発光部１１を回転可能にする。また、第二のヒンジ部１２には回転角度を検知する回転角度検知部２３を備える。回転角度検知部２３に関しては後に説明する。
【００１９】
発光部１１は内部に発光管１３、反射部材１４、透過部材１５を備え、電力供給により発光した発光管１３の光は反射部材１４によって透過部材１５の方向に集光され、透過部材１５を透過して撮像装置本体１の外空間に放出される。第一のヒンジ部５および第二のヒンジ部１２は略筒形状をしており、前記撮像装置本体１の内部から電力供給のために配線されるケーブルがベース部１０内を這いまわされ、発光管１３へと接続されるための経路となる。
【００２０】
ベース部１０内部にはラチェット軸１６、引っ張りバネ１７、ラチェット歯１８が配置され、ラチェット機構を備えている。ラチェット軸１６は一方の端部にラチェッ歯１８を取り囲むように略筒形状１６ａを備えており、略筒形状１６ａの内面側にはラチェット歯１８の溝部１８ａに勘合するよう形成された突起形状１６ｂを有する。ラチェット歯１８は第一のヒンジ部５の撮像装置本体１側の軸に形成され、なおかつストロボユニット４内のラチェット機構が配置されている側のみに形成されている。ラチェット軸１６の他方の端部には引っ張りバネ１７と接触する面を有する板形状１６ｃと略球形状１６ｄを有する。
【００２１】
引っ張りバネ１７は一方の端面をラチェット軸１６の板形状１６ｃに固定され、他方の端面をベース部１０の内面１０ａに固定されている。
【００２２】
ベース部１０の引っ張りバネ１７と接触する面の壁には、ラチェット軸１６の略球形状１６ｄが通過することができる穴形状１０ｂを有する。発光部１１が図２（ｃ）のように通常撮影状態の場合、ラチェット軸１６の略球形状１６ｄは発光部１１の当接面１１ａに当接し、ベース部１０内に押し込まれた状態になる。この際引っ張りバネ１７は引っ張り方向に延ばされるとともに、ラチェット軸１６の突起形状１６ｂはラチェット歯１８に接触しない位置に移動する。よって、ラチェット歯１８は自由可動可能となり、前記係止部材６が前記引掛け部８から外れる可動をした際にバネ力によってストロボアップ状態までラチェット機構が作動することなく回転可能となる。
【００２３】
発光部１１が図２（ｄ）のように、第二のヒンジ部の軸を中心に通常撮影状態から１８０度回転したバウンス状態の場合、ラチェット軸１６の略球形状１６ｄは発光部１１の当接面１１ａから解放され、引っ張りバネ１７の収縮によりラチェット軸１６の突起形状１６ｂがラチェット歯１８の溝部１８ａに勘合する。よって、前記第一のヒンジ部５の軸中心の回転可動時にラチェット機構を有する可動を行うことができる。上記ラチェット機構は本実施形態の一例であり、これに限定するものではない。
【００２４】
上記構成により、撮影者は発光部１１を回転させることでバウンス撮影が可能となる。また、前記ラチェット機構により第一のヒンジ部５のストロボアップ角度を調整し、第二のヒンジ部１２の回転角度を任意の角度に調整することで、縦位置撮影時にも撮影者の任意の方向へのバウンス撮影が可能となる。
【００２５】
次に図３を参照して、撮像装置内部の構成について説明する。図３は本実施の形態に係る撮像装置の主要な電気的構成を示すブロック図である。
【００２６】
図３において、２０は制御部、２１は撮像部、２２はレンズ通信部、２３は回転角検知部、２４はＳＴＵＰ検知部を示す。
【００２７】
撮像装置本体１に内蔵されたマイクロコンピュータからなる制御部２０は、カメラの動作制御および記憶を司るものであり、各要素からの情報の処理や各要素に対する指示および各情報の記憶を行う。また制御部２０には、撮像部２１、レンズ通信部２２、回転角検知部２３、ＳＴＵＰ検知部２４、発光管１３が電気的に接続されている。制御部２０は、レンズ通信部２２を介して撮影レンズ２と通信を行う。
【００２８】
撮像部２１は、被写体像を光電変換する撮像素子を有し、本実施の形態ではＣＭＯＳセンサが用いられるが、その他にもＣＣＤ型、ＣＭＯＳ型及びＣＩＤ型等様々な形態があり、いずれの形態の撮像デバイスを採用してもよい。
【００２９】
制御部２０は前記発光部１１が回転した場合、回転角検知部２３に前記第二のヒンジ部１２の回転角を検知させ、記憶する（本実施形態において、発光部の位置が通常撮影状態での時場合を回転角０°とする）。また、制御部２０はＳＴＵＰ検知部２４にストロボユニット４がポップアップ状態かどうかの検知をさせる。制御部２０は回転角検知部２３の回転角情報および、ＳＴＵＰ検知部２４のＳＴＵＰ情報に基づき、発光管１３の発光を許可または禁止する。
【００３０】
次に図４は、本実施形態に係る撮像装置に関する、ストロボ発光方法に関するフローチャートである。なお、上記と同記号の説明は割愛する。図１、図２、図３、図４を参照して、ストロボ発光制御方法に関して説明する。
【００３１】
制御部２０は、Ｓ１０１において回転検知部２３に発光部１１の回転角度を検知させる。回転角度が０°の場合、制御部２０はＳ１０２においてＳＴＵＰ検知部２４にストロボユニット４がポップアップ状態かどうかの検知をさせ、ポップアップ状態でなかった場合、Ｓ１０３にて発光管１３への発光禁止を行う。Ｓ１０１にて回転角度が０°以外の角度、もしくはＳ１０２にてポップアップ状態であった場合、制御部２０はＳ１０４にて発光管１３へ発光許可を行う。
【実施例２】
【００３２】
実施例１中では、第一のヒンジ部５に形成されたラチェット歯１８とラチェット軸１６によるラチェット機構によって、ストロボアップ角度を調整する例を説明した。実施例２では、実施例１とは異なる方法でストロボユニット４の角度を調整し、バウンス撮影を可能とする例を説明する。なお、図中で実施例１と共通する部分には同一の符号を記し、説明は省略する。
【００３３】
図５は実施例２における撮像装置の外観斜視図であり、図５（ａ）はストロボユニット４が収納された状態、図５（ｂ）はストロボアップ時の状態である。以降図５（ａ）のストロボユニット４が収納された状態を第一の状態、図５（ｂ）のストロボユニット４が所定の角度にアップされた状態を第二の状態と呼ぶ。
【００３４】
実施例２の撮像装置である図５と実施例１の撮像装置である図１との違いは、係止部材６と、ストロボユニットの引っ掛け部８が、撮影光軸２ａに対して略対称の位置にあることと、係止部材６の近傍にストロボＳＷ７が配されていることである。
【００３５】
実施例１と同じように、第一のヒンジ部５に対し略直交する方向に回転軸を有した第二のヒンジ部１２があり、発光管１３、反射部材１４、透過部材１５を備えた発光部１１が第二のヒンジ部１２周りに回転できるようになっている。ただし、ストロボユニット４の内部にはラチェット軸１６、引っ張りバネ１７、ラチェット歯１８、および回転角検知部２３は設けられていない。
【００３６】
２４は実施例１中では不図示であったＳＴＵＰ検知部である。ＳＴＵＰ検知部２４は第一のヒンジ部５付近に配設されたプッシュスイッチである。ＳＴＵＰ検知部２４の具体的手段は本実施例のようにプッシュスイッチでなくてもよい。なお、このような検知方法は公知の技術である。
【００３７】
図６は実施例２における、ストロボＳＷ７の構成を説明するための分解斜視図（ａ）と、中央断面図（ｂ）である。
ストロボＳＷ７はスイッチ部材２５、ゴム部材２６、フレキシブルプリント基板２７、スイッチベース部材２８によって構成される。スイッチベース部材２８は請求項中の支持部材に該当する。スイッチベース部材２８の位置決め軸２８ａに対し、スイッチ部材の穴部２５ａ（図６（ａ）中では隠れるため破線で示す）、ゴム部材の穴部２６ａ、フレキシブルプリント基板の穴部２７ａが嵌合することでストロボＳＷ７を構成している。
【００３８】
スイッチ部材２５には突出した操作部２５ｂが設けられており、反対側のゴム部材２６には導電部２６ｂと、その周囲にはばね部２６ｃ設けられている。スイッチ部材２５が押圧されると、ゴム部材のばね部２６ｃが変形し、ゴム部材の導電部２６ｂも押圧されてフレキシブルプリント基板２７に接触する。フレキシブルプリント基板２７のゴム部材の導電部２６ｂが接触する部分には開口パターン（不図示）が設けられており、ゴム部材の導電部２６ｂが接触することで、電気信号を検知することが可能である。スイッチ部材２５の押圧を解除すると、ゴム部材のばね部２６ｃによる復元力でスイッチ部材２５とゴム部材２６はもとの位置へと戻る。これは公知のプッシュ式スイッチの構成である。
【００３９】
スイッチベース部材２８にある二か所の長穴部２８ｂは、撮像装置本体１に対してストロボＳＷ７を取り付けるための形状であり、二つの段付きねじ２９によって撮像装置本体１へと締結されている。その他の部分である、ばね係止部２８ｃ、第一凸部２８ｄ、第二凸部２８ｅ、腕部２８ｆについては後述する。
【００４０】
ここから図７を参照しつつ、実施例２における、先に述べたストロボＳＷ７と第一のヒンジ部５の近傍における構成について詳細に説明する。
【００４１】
図７（ａ）は実施例２における撮像装置の上面図と側面図であり、Ｃ−Ｃ断面とＤ−Ｄ断面の位置を説明するための図である。
【００４２】
図７（ｂ）はストロボユニット４が収納された状態におけるＣ−Ｃ断面とＤ−Ｄ断面の図である。図７（ｃ）はストロボユニット４が所定の角度となる状態におけるＣ−Ｃ断面とＤ−Ｄ断面の図である。図８（ｄ）はストロボユニット４の角度を調整できる状態におけるＣ−Ｃ断面とＤ−Ｄ断面の図である。図８（ａ）、（ｂ）、（ｃ）の状態は、それぞれ請求項中における第一、第二、第三の状態に該当する。
【００４３】
まず、図７（ｂ）を参照しつつ、第一のヒンジ部５の構造について説明する。３０はねじりコイルばねであり、実施例１中では省略していた、ストロボユニット４をストロボアップ状態へと移動させる付勢手段である。ねじりコイルばね３０の一端はストロボユニットのベース部１０にあるばね係止部１０ｃに、もう一端はスイッチベース部材２８にあるばね係止部２８ｃに、それぞれ係止されている。ねじりコイルばね３０のコイル部は、第一のヒンジ部５に係止される。このようにねじりコイルばね３０を係止することにより、ストロボベース部１０を介してストロボユニット４には常に図７（ｂ）Ｃ−Ｃ断面図中の矢印方向に付勢力がはたらくことになる。
【００４４】
３１は板金の曲げ加工にて作製したクリックばねであり、これは撮像装置本体１に対して締結されている。クリックばね３１は二か所のばね動作部を有する。第一ばね部３１ａは、スイッチベース部材２８にある第一凸部２８ｄとの接触により、ストロボベース部１０にあるギア部１０ｄと噛み合う。第二ばね部３１ｂはスイッチベース部材２８にある第二凸部２８ｅと噛み合う。図７（ｂ）の段階では、これらのばね部は噛み合っていない状態である。
【００４５】
３２は第三の状態であることを検知するためのバウンス検知部である。本実施例中ではプッシュスイッチを用いており、図７（ｂ）の状態ではスイッチが押圧されていない状態である。
【００４６】
図７（ｂ）の状態では、ストロボベース部１０は係止部材６により係止されており、ストロボユニット４を第一のヒンジ部５の周りに回動させることはできない。
【００４７】
ここから、ストロボユニット４を第一の状態から第二の状態へ移行させる際の動作と各部のはたらきについて説明する。
【００４８】
図７（ｂ）の状態から、図７（ｂ）Ｄ−Ｄ断面中にある矢印方向へスイッチ部材２５を操作する（押す）ことにより、先に説明したように、ゴム部材の導電部２５ｂがフレキシブルプリント基板と接触する。接触による電気信号を検知した撮像装置の制御部２０は、係止部材６をその回転軸６ａ周りに駆動させることで、ストロボユニット４の緊締を解除する。本実施例中では係止部材６を駆動させるための機構については特に説明しないが、係止部材６を駆動させる方法は、モーターを利用した駆動や、プランジャーによる駆動など、その方法は限定されない。なお、これらの係止部材６を駆動させる方法は公知の技術である。
【００４９】
緊締が解除されることで、ねじりコイルばね３０の付勢力によりストロボユニット４は第一のヒンジ部５の周りに回転する。やがてストロボベース部１０は不図示のストロボアップ位置決め部材に接触することで停止し、所定の角度に到達する。これが図７（ｃ）の状態である。
【００５０】
ストロボユニット４が所定の角度に到達することで、第一のヒンジ部５の近傍に設けられたＳＴＵＰ検知部２４がＯＮとなる。なお、図７中ではＳＴＵＰ検知部２４は不図示である。
【００５１】
続いて、第二の状態から第三の状態への移行について説明する。
【００５２】
図７（ｃ）の状態から、図７（ｃ）Ｄ−Ｄ断面中の矢印方向へスイッチ部材２５を操作する（スライドさせる）ことにより、図７（ｄ）の状態となる。ここで、撮像装置本体１のストロボＳＷスライドストッパー１ｂからスイッチ部材２５が外れることで、スイッチ部材２５のスライド移動が可能となる。すなわち、ストロボＳＷ７を押圧しながらスライドさせないと、第三の状態へ移行することができない。
【００５３】
スイッチベース部材２８のスライド移動に伴い、スイッチベース部材の第一凸部２８ｄがクリックばねの第一ばね部３１ａに接触する。クリックばね３１は図７（ｄ）Ｃ−Ｃ断面図中の上方向へ変形し、クリックばねの第一ばね部３１ａの先端がストロボベース部に設けられたギア部１０ｄと噛み合う。
【００５４】
また、スイッチベース部材のばね係止部２８ｃが移動することで、ねじりコイルばね３０の支持位置が変化し、ねじりコイルばね３０による付勢力が低下することになる。
【００５５】
ストロボベース部材のギア部１０ｄとクリックばね３１の噛み合いと、ねじりコイルばね３０の付勢力低下により、ストロボユニット４は、第一のヒンジ部５周りに、第一と第二の状態の間の角度で停止させることが可能となる。このようにねじりコイルばね３０の付勢力を低下させることは、不必要にクリックばね３１のばね荷重を上げることなく、ひいてはクリックばね３１や周辺機構の大型化を抑える効果もある。
【００５６】
クリックばねの第二ばね部３１ｂは、ストロボＳＷ７をスライド移動させた際に、ストロボＳＷが移動しないようにする係止部材としての役割を担う。それと同時に、撮影者に明確なクリック感を与えることで、第二と第三の状態の切り換えを認知させるためのものでもある。さらに、検知スイッチとしての役割を持つ。クリックばねの第二ばね部３１ｂが図７（ｄ）の状態になったとき、バウンス検知部３２が押されることで、電気信号として第三の状態であることを制御部２０が検知する。この信号に基づき、制御部２０は発光許可を制御する。バウンス検知部３２の詳細な構成はここでは説明しないが、クリックばね３１を利用したレバースイッチや、プッシュ検知スイッチを用いることが可能である。検知方法はこれらに限定されるものではない。
【００５７】
係止部材６の近傍に伸びた腕部２８ｆの役割について説明する。図７（ｄ）の状態では、腕部２８ｆは係止部材６が回転中心６ａまわりに回転運動するのを規制する状態となっている。すなわち、この状態では、ストロボユニット４を係止部材６に係止することができない。
【００５８】
これは第三の状態において、ストロボユニット４が係止部材６により緊締されるのを防ぐためである。例えば、図５（ｂ）の状態から第二のヒンジ部１２まわりに発光部１１を１８０゜回転させた状態でバウンス撮影を行う場合、ストロボユニット４は第一の状態と同じ位置まで移動する可能性がある。この状態で係止部材６による緊締がなされた場合、再度ストロボユニット４を任意の位置に調整するには、第三の状態にあるストロボＳＷ７を操作して一旦第二の状態とし、緊締解除の機構を動作させなければならない。このような手間を省くため、第三の状態においては緊締機構を動作させないよう、係止部材６を退避させる機構を設けている。
【００５９】
図８は実施例２における撮像装置の主要な電気構成を示すブロック図である。これまでに述べたように、実施例２中では回転角検知部２３がなく、バウンス検知部３２がある。
【００６０】
次に図９を用いて、実施例２における制御部２０による発光管１３の制御について説明する。
【００６１】
Ｓ２０２にて、まずバウンス検知部３２の信号を確認する。バウンス検知部３２の信号がＯＮであれば、ストロボユニット４は第三の状態にあると判断し、ＳＴＵＰ検知部２４の状態によらず発光管１３の発光を許可する（Ｓ２０３）。
【００６２】
Ｓ２０２において、バウンス検知部３２の信号がＯＦＦであった場合は、ＳＴＵＰ検知部２４の信号を確認する（Ｓ２０４）。ＳＴＵＰ検知部の信号がＯＮであれば、第二の状態にあると判断し、発光管１３の発光を許可する。ＳＴＵＰ検知部の信号がＯＦＦであれば、第一の状態、もしくは第二の状態であるもののストロボユニット４がアップ動作途中であると判断し、発光管１３の発光を許可しない。
【００６３】
このように、ストロボＳＷ７のスライド動作によって第三の状態であることを検知することで、実施例１のような回転検知を用いずとも発光制御することが可能となる。これにより、第二のヒンジ部１２の周りに回転角検知部２３を配置する必要がなくなり、ストロボユニット４の大型化を抑えることができる。もちろん、制約がなければ回転角検知部２３のような検知方法を用いることも可能である。
【００６４】
以上、実施例２についてその好ましい形態について説明したが、本発明はこれらの実施形態に限定されず、その要旨の範囲内で種々の変形及び変更が可能である。例えば図１２に示すような、第一のヒンジ部５と第二のヒンジ部１２が略平行に配された形態であっても、本実施例は適応可能である。
【符号の説明】
【００６５】
１  撮像装置、４  ストロボユニット、５  第一のヒンジ部、６  係止部材、
７  ストロボＳＷ、１０  ストロボベース部、１０ｄ  ギア部、１２  第二のヒンジ部、
２４  ＳＴＵＰ検知部、２８  スイッチベース部材、３０  ねじりコイルばね、
３１  クリックばね
【図１】
2016128859.tif 000003
【図２（ａ）】
2016128859.tif 000004
【図２（ｂ）】
2016128859.tif 000005
【図２（ｃ）】
2016128859.tif 000006
【図２（ｄ）】
2016128859.tif 000007
【図３】
2016128859.tif 000008
【図４】
2016128859.tif 000009
【図５】
2016128859.tif 000010
【図６】
2016128859.tif 000011
【図７（ａ）】
2016128859.tif 000012
【図７（ｂ）】
2016128859.tif 000013
【図７（ｃ）】
2016128859.tif 000014
【図７（ｄ）】
2016128859.tif 000015
【図８】
2016128859.tif 000016
【図９】
2016128859.tif 000017